【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
トランスポンダを作動するための電力を提供するために連結されている少なくとも１つの電池と、
問い合わせ用装置からＲＦ問い合わせ用放射線を受信して後方散乱させるように構成されている少なくとも１つのアンテナと、
情報を含んでいるコードを格納するように配置され、電池によって提供されるエネルギーのみによって電力を供給されて、後方散乱された放射線上へ情報を調整するためにコードに応じて、アンテナの放射特性を変化させる、集積回路（ＩＣ）と、
を備え、
前記ＩＣは、前記問い合わせ用放射線によって伝えられる問い合わせ用データをデコードして応答するために配置され、
前記問い合わせ用データは、前記トランスポンダの作動に関する命令及び前記トランスポンダに書込まれる入力データのうちの少なくとも１つを含んでいる、ラジオ周波数（ＲＦ）トランスポンダ。
【請求項２】
前記ＩＣ、前記少なくとも１つのアンテナ及び前記少なくとも１つの電池のうちの少なくとも１つを上部に有する基材を備える、請求項１に記載のトランスポンダ。
【請求項３】
前記少なくとも１つの電池は、コプラナー及びコフェイシャルの構成のうちの少なくとも１つで配置されている、少なくとも１つの印刷されたアノード層、印刷された電解質層及び印刷されたカソード層を備え、
前記電解質層は、前記アノード層及び前記カソード層間に配置されている、請求項１又は２に記載のトランスポンダ。
【請求項４】
前記基材は、可撓性である、請求項１から３のいずれか１項に記載のトランスポンダ。
【請求項５】
前記トランスポンダは、１ｍｍ以下の厚みと、２５ｍｍ以下のベンディング半径を有する、請求項１から４のいずれか１項に記載のトランスポンダ。
【請求項６】
前記トランスポンダは物体に取り付けられて、前記ＩＣの情報の少なくとも一部は前記物体に関連している、請求項１から５のいずれか１項に記載のトランスポンダ。
【請求項７】
前記少なくとも１つのアンテナは、極超短波（ＵＨＦ）の範囲及びマイクロ波振動数の範囲の一方における前記問い合わせ用放射線を受信して後方散乱させるように構成されていて、
前記少なくとも１つのアンテナは、横波電磁波（ＴＥＭ）放射線を受信して後方散乱するように配置されている、請求項１から６のいずれか１項に記載のトランスポンダ。
【請求項８】
前記アンテナは、前記問い合わせ用放射線を後方散乱させる一方で、前記トランスポンダ
の他の部分に出力を結合させない、請求項１から７のいずれか１項に記載のトランスポンダ。
【請求項９】
前記ＩＣは、前記問い合わせ用放射線によって運ばれる信号を分析して、前記少なくとも１つの電池からエネルギー消費を減らすために、前記分析された信号に応じて前記トランスポンダの部品を漸次起動させて、前記分析された信号に基づいて前記トランスポンダに対する問い合わせ用放射線の関与度を評価して、前記関与度に基づいて前記トランスポンダが前記問い合わせ用放射線に応答可能にするように構成されている、請求項１から請求項８のいずれか１項に記載のトランスポンダ。
【請求項１０】
問い合わせ用装置から信号を運んでいる第１のＲＦ放射線を受信して、前記第１のＲＦ放射線に応じて第２のＲＦ放射線を送信するために配置されている、アンテナと、
トランスポンダを作動するための電力を提供するために結合されている、電池と、
リーダートークファーストの（ＲＴＦ）プロトコルに従って作動して、前記電池からエネルギー消費を減らすために、前記第１のＲＦ放射線の存在を検出して、前記第１のＲＦ放射線によって運ばれる信号を分析して、前記分析された信号に応じて前記トランスポンダの部品を漸次起動させて、前記分析された信号に基づいて前記トランスポンダに対する前記第１のＲＦ放射線の関与度を評価して、前記関与度に基づいて前記トランスポンダが前記第２のＲＦ放射線を送信することを可能にするように構成されている、集積回路（ＩＣ）と、
を備えた、ラジオ周波数（ＲＦ）トランスポンダ。
【請求項１１】
前記ＩＣは、前記第１のＲＦ放射線のパターンを検出すること及び前記第１のＲＦ放射線のアドレス指定情報を決定することのうちの少なくとも１つを実行することによって、前記第１のＲＦ放射線の関与度を評価するように構成されている、請求項１０に記載のトランスポンダ。
【請求項１２】
前記ＩＣは、ＲＦリーダーによって発生していないＲＦ放射線を無視すること及び前記トランスポンダにアドレス指定されていないＲＦ放射線を無視することのうちの少なくとも１つを実行するために、前記第１のＲＦ放射線の関与度に応じて、配置されている、請求項１から１１のいずれか１項に記載のトランスポンダ。
【請求項１３】
前記ＩＣは、１つ以上のタイムアウト状況を評価して、前記第１のＲＦ放射線の存在を検出した後にタイムアウト状況に応じて、前記トランスポンダの所定の部品を停止させるために配置されている、請求項１から１２のいずれか１項に記載のトランスポンダ。
【請求項１４】
前記ＩＣは、電池状態表示器を備え、
前記電池状態表示器は、前記電池から充分な電力の利用可能度を示すように配置されている請求項１から１３のいずれか１項に記載のトランスポンダ。
【請求項１５】
前記ＩＣは、前記電池状態表示器によって定まる電池出力の報告された非利用可能度に応じて、前記第１のＲＦ放射線から電力を引き出すように配置されている、請求項１４に記載のトランスポンダ。
【請求項１６】
前記トランスポンダは、少なくとも１つのセンサを含み、
前記ＩＣは、前記少なくとも１つのセンサから前記トランスポンダ付近におけるローカル状態の表示を受信するために配置されている、請求項１から１５のいずれか１項に記載のトランスポンダ。
【請求項１７】
前記ＩＣは、前記問い合わせ用放射線によって伝えられる問い合わせ用データをデコードして応答するために配置されていて、
前記問い合わせ用データは、前記トランスポンダの作動に関する命令及び前記トランスポンダに書込まれる入力データのうちの少なくとも１つを含んでいる、請求項１０に記載のトランスポンダ。
【請求項１８】
問い合わせ用装置から送信されるＲＦ問い合わせ用放射線を後方散乱させるように構成されたアンテナを含む、電池の電源を備えたトラスポンダを提供すること、
前記トランスポンダによって前記問い合わせ用放射線を受信すること、
前記電池によって電力供給されるＩＣを用いて、前記問い合わせ用放射線中の少なくとも１つの命令を確認すること、
後方散乱された放射線上へ情報を調整するために、前記情報に応じて前記アンテナの放射特性を変化させること、
を含み、
前記放射特性を変化させるために用いるエネルギーは、前記問い合わせ用放射線から得られるものではない、ラジオ周波数（ＲＦ）トランスポンダから情報を送信する方法。
【請求項１９】
前記電池を提供することは、前記ＩＣ及び前記アンテナのうちの少なくとも１つを上部に有する基材に印刷された電池を付設することを含む、請求項１８に記載の方法。
【請求項２０】
物体に前記トランスポンダを取り付けることを含み、前記情報の少なくとも一部は前記物体に関連している、請求項１８又は１９に記載の方法。
【請求項２１】
前記トランスポンダを取り付けることは、
前記電池が第１の平面に指向され、前記アンテナが前記第１の平面と異なる第２の平面に指向されるように、前記物体の隅部周辺に前記トランスポンダを固定すること、を含む、請求項２０に記載の方法。
【請求項２２】
前記受信することは、横波電磁波（ＴＥＭ）放射線のマイクロ波振動数の範囲及び極超短波（ＵＨＦ）の範囲の一方において受信することを含む、請求項１８から２１のいずれか１項に記載の方法。
【請求項２３】
前記トランスポンダの通信距離及び変調度を共同で最大にすることによって、前記アンテナの負荷インピーダンスを変化させることを含む、請求項１８から２２のいずれか１項に記載の方法。
【請求項２４】
前記アンテナは、前記問い合わせ用放射線を後方散乱する一方で、前記トランスポンダ
の他の部分に出力を結合させない、請求項１８から２３のいずれか１項に記載の方法。
【請求項２５】
トランスポンダを作動するための電池を提供すること、
問い合わせ用装置から送信されるＲＦ問い合わせ用放射線を後方散乱させるためのアンテナを構成すること、
前記電池が第１の平面に指向され、前記アンテナが前記第１の平面と異なる第２の平面に指向されるように、前記トランスポンダを物体の隅部周辺に付設可能に構成された基材上に、前記アンテナ及び前記電池を配置すること、
を含む、ラジオ周波数（ＲＦ）トランスポンダを製造する方法。
【請求項２６】
可撓性の基材を提供すること、
ラジオ周波数（ＲＦ）放射線を後方散乱させるために適しているアンテナを前記基材上に付設すること、
集積回路（ＩＣ）を前記基材に付設して、後方散乱される放射線上へ情報を調整するように、前記アンテナの放射特性を変化させるために前記ＩＣを連結すること、
トランスポンダを駆動するための電力を提供するように、前記基材の表面上に電池を印刷すること、
を含む、ラジオ周波数（ＲＦ）トランスポンダを製造する方法。
【請求項２７】
前記電池を印刷することは、電池層材料を含むそれぞれのインクを用いてコフェイシャルの構成及びコプラナーの構成のうちの少なくとも１つで１つ以上の電池層を備えた電池を印刷することを含む、請求項２６に記載の方法。
【請求項２８】
前記電池層材料は、亜鉛、二酸化マンガン（ＭｎＯ２）及び塩化亜鉛（ＺｎＣｌ２）の少なくとも１つを含む、請求項２７に記載の方法。
【請求項２９】
前記アンテナを付設することは、前記アンテナを前記基材上に印刷することを含む、請求項２６から２８のいずれか１項に記載の方法。
【請求項３０】
前記ＩＣは有機ポリマーＩＣを含み、前記ＩＣを付設することは、前記ＩＣを付設するための印刷技術を使用することを含む、請求項２６から２９のいずれか１項に記載の方法。
【請求項３１】
前記アンテナ及び前記ＩＣを付設すること、及び、前記電池を印刷することは、全体に印刷可能なトランスポンダを印刷することを含む、請求項３０に記載の方法。
【請求項３２】
前記トランスポンダは、１ｍｍ以下の厚みと、２５ｍｍ以下のベンディング半径を有する、請求項２６から３１のいずれか１項に記載の方法。
【請求項３３】
前記アンテナは、極超短波（ＵＨＦ）の範囲及びマイクロ波振動数の範囲の一方において作動可能である、請求項２６から３２のいずれか１項に記載の方法。
【請求項３４】
トランスポンダでＲＦ放射線の存在を検出すること、
前記検出されたＲＦ放射線によって運ばれる信号を分析すること、
エネルギー消費を減らすために、前記分析された信号に応じて、前記トランスポンダの部品を漸次起動させること、
前記分析された信号に基づいて前記トランスポンダに対するＲＦ放射線の関与度を評価すること、
前記関与度に基づいて、前記トランスポンダが前記ＲＦ放射線に応答可能にすること、
を含む、リーダートークファーストの（ＲＴＦ）プロトコルに従って作動するラジオ周波数（ＲＦ）トランスポンダの電池からのエネルギー消費を抑制するための方法。
【請求項３５】
前記信号を分析することは、前記ＲＦ放射線のパターンを検出すること及び前記ＲＦ放射線のアドレス指定情報を決定することのうちの少なくとも１つを含む、請求項３４に記載の方法。
【請求項３６】
前記関与度を評価することは、ＲＦリーダーによって発生してないＲＦ放射線を無視すること及び前記トランスポンダにアドレス指定されていないＲＦ放射線を無視することのうちの少なくとも１つを含む、請求項３４又は３５に記載の方法。
【請求項３７】
前記分析された信号に応じて前記トランスポンダの所定の部品を起動させるために１つ以上のタイムアウト状況を評価することを含む、請求項３４から３６のいずれか１項に記載の方法。
【請求項３８】
ＲＦ問い合わせ用放射線をＲＦトランスポンダに送信して、前記問い合わせ用放射線に応じて、前記ＲＦトランスポンダから後方散乱され変調された放射線を受信してデコードするように構成されている、少なくとも１つの問い合わせ用装置と、
請求項１から１７のいずれか１項に記載の少なくとも一つのラジオ周波数（ＲＦ）トランスポンダと、
前記後方散乱され変調された放射線から前記少なくとも１つの問い合わせ用装置によってデコードされたデータを処理するための少なくとも１つのデータ処理デバイスと、
を含む、ラジオ周波数識別（ＲＦＩＤ）システム。
【請求項３９】
前記データ処理デバイスが、前記トランスポンダから電池状態表示を受信するように構成されている、請求項３８に記載のシステム。
【請求項４０】
前記少なくとも１つのデータ処理デバイスが、前記少なくとも１つのトランスポンダ付近におけるローカル状態を表示する信号を受信するために配置されている、請求項３８又は３９に記載のシステム。
【請求項４１】
ラジオ周波数（ＲＦ）トランスポンダの電池からのエネルギー消費を抑制するための省エネルギー型回路であって、
トランスポンダでＲＦ放射線の存在を検出して、前記検出されたＲＦ放射線によって運ばれる信号を分析して、エネルギー消費を減らすために前記分析された信号に応じて前記トランスポンダの部品を漸次起動させて、前記分析された信号に基づいて前記トランスポンダに対する前記ＲＦ放射線の関与度を評価して、前記関与度に基づいて前記トランスポンダが前記ＲＦ放射線に応答可能にするように配置されている、状態機械と、
前記分析された信号に応じて、前記トランスポンダの所定の部品を起動させるためタイムアウト状況を評価するために配置されている、１つ以上のタイムアウト回路と、
を備える、省エネルギー型回路。
【請求項４２】
前記状態機械は、前記ＲＦ放射線のパターンを検出すること及び前記ＲＦ放射線のアドレス指定情報を決定することのうちの少なくとも１つを実行することによって、前記関与度を評価するために配置されている、請求項４１に記載の回路。
【請求項４３】
前記状態機械は、前記ＲＦリーダーによって発生していないＲＦ放射線を拒絶すること及び前記トランスポンダにアドレス指定されていないＲＦ放射線を拒絶することのうちの少なくとも１つを実行するために配置されている、請求項４１又は４２に記載の回路。